(57)【要約】 【課題】  水濡れ時の反応が早く、水濡れの有無を容易且つ正確に判定でき、更に携帯電子機器や電池パックの外観を損なうことの無い水濡れ検出ラベルを提供すること。【解決手段】  水濡れ検出部１１ｃを模様が設けられた水溶性紙にて構成し且つ、保護フィルム１１ａには前記水濡れ検出部１１ｃとは反転した模様を設ける。【選択図】  図２
2008268332.tif 000002
【特許請求の範囲】
【請求項１】
携帯電子機器の水濡れの検出に用いられる水濡れ検出ラベルにおいて、シート状の水溶性の水濡れ検出部と、該水濡れ検出部を覆う少なくとも一部が透明な保護フィルムとを有し、前記保護フィルム及び水濡れ検出部の両端部が重ならないように積層したことを特徴とする水濡れ検出ラベル。
【請求項２】
前記水濡れ検出部の表面に模様が設けられるとともに、前記保護フィルムに前記水濡れ検出部の模様とは反転した模様が設けられていることを特徴とする請求項１記載の水濡れ検出ラベル。
【請求項３】
前記保護フィルムと前記水濡れ検出部の間に、前記保護フィルムと同じ外形を有する長手方向に垂直な断面が凹状の粘着材を挿入したことを特徴とする請求項１または２記載の水濡れ検出ラベル。
【発明の詳細な説明】
【技術分野】
【０００１】
本発明は、携帯電子機器やそれに取り付けられる電池パックの水濡れ判定のために、これらの機器に貼り付けて使用する水濡れ検出ラベルの構造に関する。
【背景技術】
【０００２】
携帯電話、携帯ゲーム機、デジタルスチルカメラなどの携帯電子機器および電池パックは、ユーザが使用中に誤って水中に落としてしまうことがある。この時、携帯電子機器の隙間から浸入した水分が、機器内部の電子回路等に影響を及ぼし故障する可能性がある。
【０００３】
故障が生じた携帯電子機器は、サービスセンター等に持ち込まれて修理される。そこでサービスセンターでは、水濡れによって生じた故障かどうかを判定する手段の一つとして水濡れ検出ラベルが用いられる。
【０００４】
図３は、従来の水濡れ検出ラベルの構成及び電池パックへの使用例を示す説明図であり、図３（ａ）は従来の水濡れ検出ラベルの構成を示す断面図、図３（ｂ）は一般的な水濡れ検出ラベルの電池パックへの使用例の分解斜視図である。図３（ａ）に示すように、従来の水濡れ検出ラベル２１は、上質紙等のシート状の水濡れ検出部２１ｃの上面（表面）に水溶性インク層２１ｆが形成され、下面（裏面）には粘着材１ｄが貼り付けられている。この水溶性インク層２１ｆは、水溶性インクで丸印等の模様が印刷されている。図３（ｂ）に示すように、従来の水濡れ検出ラベル２１を、水濡れ検出窓２ｄを有する電池カバー２ａ、電池ケース２ｂ、電池２ｃからなる電池パック２の内部に貼り付けて使用している。携帯電子機器が浸水した場合は、内部に入りこんだ水分がこの水濡れ検出ラベル２１にしみ込み水溶性インクを滲ませる。この模様の滲み具合を観察することにより、携帯電子機器が浸水したかどうかを判定することが出来る。
【０００５】
また、このような水濡れ検出ラベルの例として特許文献１、２に記載のものが提案されている。特許文献１の技術は、水溶性インクにて模様の印刷が施された水没検出部の表面に透明な保護フィルムを備えることにより、携帯電子機器の外面に貼り付けても使用可能としたものである。
【０００６】
また、特許文献２の技術は水濡れ検出として水溶性紙を使用し、水溶性紙が溶解しているかに基づいて携帯電子機器が水濡れしたかどうかを判定することが出来るというものである。特許文献２は特許文献１と比べ容易かつ正確に判定可能となっている。
【０００７】
【特許文献１】特開平８−２５４９５３号公報
【特許文献２】特開２００５−０５５７０３号公報
【発明の開示】
【発明が解決しようとする課題】
【０００８】
しかし、図３や特許文献１に記載された技術は、印刷した模様の滲み具合を目視によって判定する為、模様が滲んでいるかどうか正確に判定できない場合があった。
【０００９】
また、前記技術で使用している水溶性インクでの模様形成の精度はあまり高くなく、製造ロットによって模様の大きさにバラツキが生じることがあり、初期外観状態の管理が非常に難しかった。
【００１０】
なお、ここで使用する水溶性インクは使用可能な色が赤や青と非常に限定されており、電子機器の外観との不一致が生じ、デザインを損なうことがあった。
【００１１】
また、機器内部に貼り付けもしくは表面に保護フィルムを施した状態で貼り付けて使用するため、少量の水濡れでは模様が滲むまでに時間が掛かったり、最悪、模様が滲まない場合もあり誤判定をするという問題があった。
【００１２】
これらの対策として特許文献２のような模様の滲み具合で判定せずに水溶性紙等の溶け具合により水濡れを判定する方法がある。しかしこの方法の場合、電子機器の外観との不一致の対策として水溶性紙の全表面を着色した場合は、インクにより反応速度が鈍くなる問題があった。
【００１３】
本発明は携帯電子機器や電池パックの水濡れ検出において、水濡れ時の反応が早く、水濡れの有無を容易且つ正確に判定でき、更に携帯電子機器や電池パックの外観を損なうことの無い水濡れ検出ラベルを提供することを目的とする。
【課題を解決するための手段】
【００１４】
本発明は、携帯電子機器の水濡れの検出に用いられる水濡れ検出ラベルにおいて、シート状の水溶性の水濡れ検出部と、該水濡れ検出部を覆う少なくとも一部が透明な保護フィルムから構成されていることを特徴とする水濡れ検出ラベルである。従って、模様の大きさ、滲みでの確認でなく、水溶性紙の溶け具合で水濡れ判定が可能となり誤判定を解決できる。
【００１５】
また、本発明は、前記保護フィルムの幅方向の大きさが前記水濡れ検出部の大きさよりも僅かに小さく形成し、前記保護フィルム及び水濡れ検出部の幅方向の両端部が互いに重ならずに、はみ出すように積層したことを特徴とする上記の水濡れ検出ラベルである。水濡れ検出ラベルの両端が露出しているので、反応安定性、反応速度を向上させることができる。
【００１６】
また、本発明は、前記水濡れ検出部の表面に模様が設けられるとともに、前記保護フィルムに前記水濡れ検出部の模様とは反転した模様が設けられていることを特徴とする上記の水濡れ検出ラベルである。保護フィルムと水濡れ検出部を重ねた際、見えなくなる模様の色を電子機器と同じ色に設定することにより、電子機器の外観色と合わせることができ、外観不一致を解決することが出来る。
【００１７】
また、本発明は、前記保護フィルムと前記水濡れ検出部の間に、前記保護フィルムと同じ外形を有する長手方向に垂直な断面が凹状の粘着材を挿入したことを特徴とする上記の水濡れ検出ラベルである。
【発明の効果】
【００１８】
以上述べたように本発明には、従来技術と比較して以下の利点がある。
イ）水濡れ検出として水溶性紙を使用しているので、水溶性紙が溶けているか否かを確認することで容易に水濡れしたかを判定可能となる。
ロ）水濡れ検出部の印刷パターンと保護フィルムの印刷パターンの組み合わせにより、初期状態は模様が見えない状態にすることができ、製造ロットバラツキを気にしなくても良い。
ハ）水濡れ検出部の印刷パターンと保護フィルムの印刷パターンの組み合わせにより、携帯電子機器の外観との色合わせ等が可能となり、携帯電子機器の外観を損なわない。
ニ）保護フィルムの幅方向の大きさを水濡れ検出部より小さくして、長さ方向の両端が互いにはみ出すように積層することにより、更に水濡れの反応速度を速めることが可能である。
ホ）水溶性紙への模様の印刷は最小限で良いため、インクにより水溶性紙の反応が下がらない。
従って水濡れ時の反応が早く、水濡れ判定を容易に且つ正確に判定することができ、携帯電子機器の外観を損なうことのない水濡れ検出ラベルを提供できる。
【発明を実施するための最良の形態】
【００１９】
以下、本発明の実施の形態を図面を参照して説明する。
【００２０】
まず、本発明の第１の実施の形態における水濡れ検出ラベルについて説明する。
図１は本発明の第１の実施の形態における水濡れ検出ラベルの構成及び電池パックへの使用例の説明図であり、図１（ａ）は外観斜視図、図１（ｂ）は分解斜視図、図１（ｃ）は電池パックへの使用例を示す分解斜視図、図１（ｄ）は水濡れ反応した後の状態を示す外観斜視図である。
【００２１】
図１（ａ）、図１（ｂ）に示すように、先ずポリエチレンテレフタレートからなる、微小な水分をガードする為の保護フィルム１ａを水溶性紙からなる水濡れ検出部１ｃの大きさより一部分が小さくなるように切断して抜き取る。即ち、水濡れ検出部１ｃは正方形状であり、保護フィルム１ａは矩形状である。これらは積層すると、保護フィルム１ａの長辺から水濡れ検出部１ｃの両端部がややはみ出すとともに、保護フィルム１ａの短辺を含む両端部が水濡れ検出部１ｃの上記一対の両端部と異なる箇所の両端部からややはみ出す大きさである。なお、保護フィルム１ａの材質は、ポリエチレンテレフタレートの他に、ポリエステルフィルム、ポリプロピレン等の透明のフィルム材を使用しても良い。また、水濡れ検出部１ｃの反応速度を見て、反応が早すぎる場合は保護フィルム１ａの大きさを大きめに、反応が遅い場合は保護フィルム１ａの大きさを更に小さく製作しても良い。
【００２２】
次に保護フィルム１ａの裏側にアクリル系の粘着材１ｂを貼り付ける。なお、水濡れ検出部１ｃの反応性を損なわないようにする為、粘着材１ｂの形状は中心部をくり貫いたものが望ましい。また、粘着材１ｂと保護フィルム１ａの外形は同じである。また、粘着材１ｂは長手方向に垂直な断面が凹状である。更に携帯電子機器に接着される両端の部分は粘着材の厚さを厚めにしておくと良い。即ち、粘着材１ｂは、中央が薄く、長手方向の両端が、それより厚く形成され、中央部に水濡れ検出部１ｃを重ねた際、厚く形成された両端部の携帯電子機器に接着される面と同一面を形成する。粘着材１ｂとしては、アクリル系粘着材の他に、保護フィルム１ａの材質や使用環境に応じてゴム系粘着材やシリコン系粘着材などを使用しても良い。
【００２３】
最後に、水濡れ検出部１ｃの表面に前記保護フィルム１ａを貼り付け、更に水濡れ検出部１ｃの裏面にはアクリル系の粘着材１ｄを設ける。この時、保護フィルム１ａの長辺から水濡れ検出部１ｃの両端部がややはみ出すとともに、保護フィルム１ａの短辺を含む両端部が水濡れ検出部１ｃの上記一対の両端部と異なる箇所の両端部からややはみ出すように積層される。水濡れ検出部１ｃの裏面に設ける粘着材１ｄも水濡れ検出部１ｃの反応を損なわないようにする為に、中心部をくり貫いたものが望ましい。また、粘着材１ｄと水濡れ検出部１ｃの外形は同じである。なお水濡れ検出部１ｃとしては、カルボキシメチル化したセルロース繊維でできた水溶性紙や、通常のパルプ繊維にカルボキシメチルセルロースを多めに混合して抄紙してできる水溶性紙等を用いると良い。
【００２４】
上記の如くできた水濡れ検出ラベルを図１（ｃ）のように電池パック２に貼り付けて水濡れ検出として使用するが、電池パック２が水濡れした際には図１（ｄ）のように部位１ｅにおいて水溶性紙が溶けると、電子機器の内部が見えるようになり水濡れしたかどうかを判定することが可能となる。
【００２５】
次に、本発明の第２の実施の形態における水濡れ検出ラベルについて説明する。
図２は本発明の第２の実施の形態における水濡れ検出ラベルの構成及び電池パックへの使用例の説明図であり、図２（ａ）は外観斜視図、図２（ｂ）は分解斜視図、図２（ｃ）は電池パックへの使用例を示す分解斜視図、図２（ｄ）は水濡れ反応した後の状態を示す外観斜視図である。
【００２６】
図２（ａ）、図２（ｂ）に示すように、第２の実施の形態における水濡れ検出ラベル１１は、上記第１の実施の形態と同様に、水濡れ検出部１１ｃの大きさより一部を小さくしたポリエチレンテレフタレートを材質とする保護フィルム１１ａと、この保護フィルム１１ａを水濡れ検出部１１ｃに貼り付けるための粘着材１ｂと、水濡れ検出部１１ｃ、及び水濡れ検出部１１ｃを電池パック２に貼り付けるための粘着材１ｄから構成されている。水濡れ検出部１１ｃには丸印の模様を印刷し、保護フィルム１１ａには水濡れ検出部１１ｃに付加した模様と反転した模様を印刷してある。
【００２７】
水濡れ検出部１１ｃはドライオフセット印刷により丸印の模様を印刷する。印刷方法はドライオフセット印刷の他に、水無しオフセット印刷等がある。水濡れ検出部１１ｃの材質次第では、オフセット印刷、シルク印刷やシール印刷など通常の印刷と同様に行なえる場合もある。模様は丸印の他に×印や縞模様等を印刷しても良い。ただし、水濡れ時の反応を妨げないようにインクを多量に使う模様は避けた方が望ましい。
【００２８】
保護フィルム１１ａには水濡れ検出部１１ｃに付加した模様と反転した模様を同一の色で裏面にシール印刷する。印刷方法はシール印刷以外の印刷方法でも問題ない。模様を印刷した後に印刷面の上に粘着材１ｂを引き、水濡れ検出部１１ｃに貼り付けられるようにしてある。なお、模様の色は、電子機器と同じ色とするのが外観を損なわないので、より好ましい。
【００２９】
保護フィルム１１ａ、水濡れ検出部１１ｃ、粘着材１ｂ、１ｄの材質、形状、機能は、第１の実施の形態と同様である。
【００３０】
図２（ｃ）に示すように上記の如く作製した水濡れ検出ラベル１１は、電池パック２に貼り付けても外観の不一致が生じず、しかも電池パック２が水濡れした際には図２（ｄ）のように、部位１１ｅにおいて水濡れ検出部１１ｃが溶けて模様が浮き出すことを確認すれば良いため、水濡れしたかどうかを容易に判定することが可能となる。
【図面の簡単な説明】
【００３１】
【図１】本発明の第１の実施の形態における水濡れ検出ラベルの構成及び電池パックへの使用例の説明図。図１（ａ）は外観斜視図。図１（ｂ）は分解斜視図。図１（ｃ）は電池パックへの使用例を示す分解斜視図。図１（ｄ）は水濡れ反応した後の状態を示す外観斜視図。
【図２】本発明の第２の実施の形態における水濡れ検出ラベルの構成及び電池パックへの使用例の説明図。図２（ａ）は外観斜視図。図２（ｂ）は分解斜視図。図２（ｃ）は電池パックへの使用例を示す分解斜視図。図２（ｄ）は水濡れ反応した後の状態を示す外観斜視図。
【図３】従来の水濡れ検出ラベルの構成及び電池パックへの使用例を示す説明図。図３（ａ）は構成を示す断面図。図３（ｂ）は使用例を示す分解斜視図。
【符号の説明】
【００３２】
１、１１、２１    水濡れ検出ラベル
１ａ、１１ａ    保護フィルム
１ｂ、１ｄ    粘着材
１ｃ、１１ｃ、２１ｃ    水濡れ検出部
１ｅ、１１ｅ  （水濡れで溶解した）部位
２    電池パック
２ａ    電池カバー
２ｂ    電池ケース
２ｃ    電池
２ｄ    水濡れ検出窓
２１ｆ    水溶性インク層
【図１】
2008268332.tif 000003
【図２】
2008268332.tif 000004
【図３】
2008268332.tif 000005